(57)【特許請求の範囲】
【請求項１】
インキ収容筒の先端部に、チップ先端内にボールを回転自在に抱持したボールペンチップを配設し、インキ収容筒内に剪断減粘性を有したインキと該インキの消費とともに追従するグリース状のフォロワーを充填し、開口した後端を小径に形成した後端部を有する第１のボールペンレフィールと、インキ収容筒の先端部に、チップ先端内にボールを回転自在に抱持したボールペンチップを配設し、インキ収容筒内に剪断減粘性を有したインキと該インキの消費とともに追従するグリース状のフォロワーを充填し、開口した後端部を有する第２のボールペンレフィールとを、第１のボールペンレフィールの後端部を第２のボールペンレフィールの後端部に嵌合して連結したものを軸筒に収納してなる両頭式ボールペンであって、第１のボールペンレフィール及び／又は第２のボールペンレフィールのインキ収容筒の外周面に、第１及び第２のボールペンレフィールのインキ収容筒の内外を連通する空気流通孔を形成した構造を有する両頭式ボールペン。
【請求項２】
前記第１のボールペンレフィールの空気流通孔を、第１のボールペンレフィールのインキ収容筒の後端部の外周面上に設けたリング状の凹溝に連通させて設け、第２のボールペンレフィールの空気流通孔を、第１のボールペンレフィールのインキ収容筒の後端部を第２のボールペンレフィールの後端部に圧入嵌合した際に、第１のボールペンレフィールの後端部に形成した凹溝に対向するように設けたことを特徴とする、請求項１に記載の両頭式ボールペン。
【発明の詳細な説明】
【０００１】
【発明の属する技術分野】
本発明は、インキ収容筒内に剪断減粘性を有したインキと該インキの消費とともに追従するグリース状のフォロワーを充填した２つのボールペンレフィールを、連結して一体としたものを軸筒に収納した構造の両頭式ボールペンに関する。
【０００２】
【従来の技術】
従来、ボールペン用インキとして剪断減粘性を有した、いわゆるゲルインキと呼ばれているインキは、インキ収容筒に直に収容できることは知られている。また、インキの後端にインキの消費にともないインキに追随して移動するグリース状のフォロワーを設けることも知られている。
【０００３】
特開平９−２００９４号の公報には、先端にボールペンチップを、後方に筆記時のボールの回転で粘性が低下してインキが流出される剪断減粘性を有したインキと、インキの後端には筆記に伴うインキの消費に追随して移動するグリース状のフォロワーが充填され、それぞれの軸筒の後端には軸筒内と外気とを連通する通気溝を有した尾栓が固着されると共に、尾栓間に連結可能な係止部を設けてなる２本の筆記体を、その軸筒の後端で着脱自在に連結して構成された両頭式ボールペンに係る技術が開示されている。
【０００４】
【発明が解決しようとする課題】
前記両頭式ボールペンでは、筆記体の後端に尾栓を固着するが、尾栓の形状を尾栓間で連結可能な係止部を設けた形状とするため、また２本の筆記体（ボールペンレフィール）を連結した際に、各々の尾栓に設けた軸筒内と外気とを連通する通気溝が閉塞されないような構造とするために、自ずと尾栓の構造が複雑となり、現実問題として、そうした構造の尾栓を用いて２本の筆記体を連結する事は、コストをあげる要因となり満足しかねるものである。
【０００５】
本発明は上記問題点に鑑みてなされたもので、簡単な構造で２つの筆記体（ボールペンレフィール）を簡単に連結でき、両頭式ボールペンとして簡単に組み立てられる構造の、インキ収容筒に剪断減粘性を有したインキ及びグリース状のフォロワーを充填した２本の筆記体（ボールペンレフィール）を連結してなる両頭式ボールペンを得るものである。
【０００６】
【課題を解決するための手段】
本発明の両頭式ボールペンは前記目的を達成するために、インキ収容筒の先端部に、チップ先端内にボールを回転自在に抱持したボールペンチップを配設し、インキ収容筒内に剪断減粘性を有したインキと該インキの消費とともに追従するグリース状のフォロワーを充填し、開口した後端を小径に形成した後端部を有する第１のボールペンレフィールと、インキ収容筒の先端部に、チップ先端内にボールを回転自在に抱持したボールペンチップを配設し、インキ収容筒内に剪断減粘性を有したインキと該インキの消費とともに追従するグリース状のフォロワーを充填し、開口した後端部を有する第２のボールペンレフィールとを、第１のボールペンレフィールの後端部を第２のボールペンレフィールの後端部に嵌合して連結したものを軸筒に収納してなる両頭式ボールペンであって、第１のボールペンレフィール及び／又は第２のボールペンレフィールのインキ収容筒の外周面に、第１及び第２のボールペンレフィールのインキ収容筒の内外を連通する空気流通孔を形成した構造を有するものである。
さらには、前記第１のボールペンレフィールの空気流通孔を、第１のボールペンレフィールのインキ収容筒の後端部の外周面上に設けたリング状の凹溝に連通させて設け、第２のボールペンレフィールの空気流通孔を、第１のボールペンレフィールのインキ収容筒の後端部を第２のボールペンレフィールの後端部に圧入嵌合した際に、第１のボールペンレフィールの後端部に形成した凹溝に対向するように設けた構造とするものである。
【０００７】
本発明においては、第１及び第２のボールペンレフィールのインキ収容筒に剪断減粘性を有したインキを充填するが、各々のインキ収容筒に充填するインキは、同一のインキであっても良いしあるいはインキ組成物が異なった異種のインキであっても良い。また、インキ収容筒の先端部にボールペンチップを配設するが、インキ収容筒の先端部を小径として直にボールペンチップを挿着しても良いし、ボールペンチップをチップホルダーに挿着し、該チップホルダーをインキ収容筒の開口端部に挿着するものであっても良い。また、ボールペンチップにおいて、チップ先端内に回転自在に抱持したボールは、スプリング等により押圧された構造のものであっても良い。
【０００８】
第１のボールペンレフィールのインキ収容筒の開口した後端部と、第２のボールペンレフィールのインキ収容筒の開口した後端部とを嵌合する方法としては、一方のボールペンレフィールのインキ収容筒の後端部を小径として、他方のボールペンレフィールのインキ収容筒の後端部に圧入嵌合、各々のインキ収容筒の後端部に形成した凹凸状の係合手段で構成される乗り越え嵌合またはねじ嵌合等がある。
【０００９】
本発明の両頭式ボールペンは、第１のボールペンレフィールに配設したチップ先端内に抱持したボールの外径と、第２のボールペンレフィールに配設したチップ先端内に抱持したボールの外径を異ならせることにより、一本で２種類の筆跡幅が得られる両頭式ボールペンとなる。
【００１０】
また、第１のボールペンレフィールのインキ収容筒に充填したインキと、第２のボールペンレフィールのインキ収容筒に充填したインキの色を異ならせることにより、一本で２色の筆跡が得られる両頭式ボールペンとなる。
【００１１】
【発明の実施の形態】
本発明の実施の形態を図面を用いて説明する。同部材、同箇所を示すものに対しては、同符号を付してある。
図１に示す本発明の両頭式ボールペン１は、２つのボールペンレフィール２、３からなる。第１のボールペンレフィール２は、図２に示すように、インキ収容筒４の開口した後端部５は小径に形成してある。後端部５の前方のインキ収容筒４の外周面には、内外を連通した空気流通孔６が設けてある。インキ収容筒４の先端部７には、図示していないが、チップ先端内にボールを回転自在に抱持し該ボールをスプリングによりチップ先端縁に押圧したボールペンチップ８がチップホルダー９を介して配設してある。インキ収容筒４には、剪断減粘性を有したインキ１０と該インキ１０の消費とともに追従するグリース状のフォロワー１１を、インキ１０の後端にフォロワー１１を接して充填してある。
【００１２】
第２のボールペンレフィール３は、図３に示すように、インキ収容筒１２の開口した後端部１３は、前記第１のボールペンレフィール２のインキ収容筒４の後端部５と圧入嵌合するように形成してある。後端部１３の前方のインキ収容筒１２の外周面には、内外を連通した空気流通孔１４が設けてある。インキ収容筒１２の先端部１５には、第１のボールペンレフィール２に配設されたボールペンチップ７と同様の構造でボール径が異なったボールペンチップ１６がチップホルダー８を介して配設してある。インキ収容筒１２には、第１のボールペンレフィールのインキ収容筒４と同様に、剪断減粘性を有したインキ１０とフォロワー１１が充填してある。
【００１３】
前記第１のボールペンレフィール２のインキ収容筒４の後端部５を第２のボールペンレフィール３のインキ収容筒１２の後端部１３に圧入嵌合して連結し、第１のボールペンレフィール２及び第２のボールペンレフィール３の各々のボールペンチップ７、１６の先端が、両端開口部から露出するように軸筒１７に収納してある。第１のボールペンレフィール２及び第２のボールペンレフィール３が軸筒１５内を移動しないように、両端開口部に螺着した口金１８で固定してある。
【００１４】
本実施の形態においては、第１及び第２のボールペンレフィール２、３のインキ収容筒４、１２の内外を連通するための空気流通孔として、各々のインキ収容筒４、１２の外周面に空気流通孔６、１４を設けたが、各々のインキ収容筒４、１２の後端部５、１３は開口しており互いに連通しているので、空気流通孔をどちらか一方のインキ収容筒のみに設けた構造とすることもできる。
【００１５】
図４は、第１のボールペンレフィールのインキ収容筒４に設ける、内外を連通する空気流通孔の他の実施の形態を示すものである。インキ収容筒４の後端部５の外周面上に、リング状の凹溝１９を形成し、該凹溝１９にインキ収容筒４の内外を連通する空気流通孔２０を設け、第２のボールペンレフィール３に設ける空気流通孔１４を、第１のボールペンレフィール２の後端部５を第２のボールペンレフィール３の後端部１２に圧入嵌合した際に、第１のボールペンレフィールのインキ収容筒４に形成した凹溝１９に対向するような位置に設ける。第１のボールペンレフィールのインキ収容筒４内の空気および第２のボールペンレフィールのインキ収容筒１２内の空気は、空気流通孔２０〜該凹溝１９〜空気流通孔１４を通ってインキ収容筒４、１２の外部と連通する。
【００１６】
第１のボールペンレフィールのインキ収容筒４と第２のボールペンレフィールのインキ収容筒１２に収容した剪断減粘性を有したインキ１０の色は、異なったものとしてある。
【００１７】
【発明の効果】
本発明の両頭式ボールペンは、２本のボールペンレフィールの後端を圧入嵌合やねじ嵌合等により連結したものを軸筒に収納した、いたって簡単な構造であり、また、現実問題として、１本のボールペンレフィールの前後端にボールペンチップを配設した構造のもののように、インキ収容筒の前後端に剪断減粘性を有したインキおよびフォロワーをインキの後端にフォロワーを当接させて充填するという製造上の困難や難しさがなく、各部材の構造や組立もいたって簡単であり、製造コストの面で安価に製造でき、低価格品の両頭式ボールペンを提供できるという利点がある。
【図面の簡単な説明】
【図１】本発明の実施の形態を示す、両頭式ボールペンの横断面図である。
【図２】図１の実施の形態における第１のボールペンレフィールの要部拡大横断面図である。
【図３】図１の実施の形態における第２のボールペンレフィールの要部拡大横断面図である。
【図４】図２に示した第１のボールペンレフィールおける空気流通孔の他の実施の形態を示した、第１のボールペンレフィールの要部拡大横断面図である。
【図５】図４における、Ｉ−Ｉ線部分の拡大縦断面図である。
【符号の説名】
１  両頭式ボールペン
２  第１のボールペンレフィール
３  第２のボールペンレフィール
４  インキ収容筒
５  後端部
６  空気流通孔
８  ボールペンチップ
１０  インキ
１１  フォロワー
１２  インキ収容筒
１３  後端部
１４  空気流通孔
１６  ボールペンチップ
１７  軸筒
１９  凹溝
２０  空気流通孔
【図１】
0004212075.tif 000002
【図２】
0004212075.tif 000003
【図３】
0004212075.tif 000004
【図４】
0004212075.tif 000005
【図５】
0004212075.tif 000006